(57)【特許請求の範囲】
【請求項１】
データ計測装置とサーバと表示装置とを有し、
前記データ計測装置は、
ユーザに対する所定の計測の開始指示を受け付ける開始受付手段と、
前記開始受付手段が前記開始指示を受け付けると、前記計測を行うことで健康データを取得する計測手段と、
機器認証情報および個人データを記憶する可搬型記憶媒体の利用につき少なくとも前記可搬型記憶媒体に格納された前記機器認証情報に基づく認証を行う第１の認証手段と、
前記第１の認証手段による前記認証に成功した場合、前記個人データに対応付けて前記健康データを前記可搬型記憶媒体に格納する第１の格納手段と、
前記第１の認証手段による前記認証に失敗し、かつ、前記サーバへのアクセスが許可された場合、前記個人データに対応付けた前記健康データを前記サーバに送信する送信手段と、
を備え、
前記サーバは、
前記送信手段が送信した前記健康データ、および、要求元の装置が送信した前記個人データに対応する前記健康データの送信要求を受信する受信手段と、
前記受信手段が受信した前記健康データを前記個人データに対応付けて記憶装置に格納する第２の格納手段と、
前記受信手段が受信した前記送信要求に応じて、前記記憶装置に格納された前記健康データを前記要求元の装置に送信する応答手段と、
を備え、
前記表示装置は、
前記可搬型記憶媒体が自装置に接続されると、前記可搬型記憶媒体の利用につき少なくとも前記機器認証情報に基づく認証を行う第２の認証手段と、
前記第２の認証手段による前記認証に成功した場合、前記可搬型記憶媒体から前記健康データを取得する取得手段と、
前記第２の認証手段による前記認証に失敗し、かつ、前記サーバへのアクセスが許可された場合、前記送信要求を前記サーバに送信し、前記個人データに対応する前記健康データを前記サーバから受信する通信手段と、
前記取得手段または前記通信手段が取得した前記健康データを表示する表示手段と、
を備える、
健康管理システム。
【請求項２】
データ計測装置がユーザに対する所定の計測を行うことで健康データを取得し、かつ、前記データ計測装置が機器認証情報および個人データを記憶する可搬型記憶媒体の利用につき少なくとも前記可搬型記憶媒体に格納された前記機器認証情報に基づく認証に失敗し、かつ、前記データ計測装置から自装置へのアクセスが許可された場合に前記データ計測装置が前記ユーザの前記個人データに対応付けて送信した前記健康データ、および、表示装置が前記可搬型記憶媒体の利用につき少なくとも前記機器認証情報に基づく認証に失敗し、かつ、前記表示装置から自装置へのアクセスが許可された場合に前記表示装置が送信した前記個人データに対応する前記健康データの送信要求を受信する受信手段と、
前記受信手段が受信した前記健康データを前記個人データに対応付けて記憶装置に格納する格納手段と、
前記受信手段が受信した前記送信要求に応じて、前記記憶装置に格納された前記健康データを前記表示装置に送信する応答手段と、
を有するサーバ。
【請求項３】
前記受信手段は、無線通信により前記健康データおよび前記送信要求を受信し、
前記応答手段は、前記無線通信により前記健康データを送信する、
請求項２記載のサーバ。
【請求項４】
ユーザに対する所定の計測の開始指示を受け付ける開始受付手段と、
前記開始受付手段が前記開始指示を受け付けると、前記計測を行うことで健康データを取得する計測手段と、
機器認証情報および個人データを記憶する可搬型記憶媒体の利用につき少なくとも前記可搬型記憶媒体に格納された前記機器認証情報に基づく認証を行う認証手段と、
前記認証手段による前記認証に成功した場合、前記ユーザの前記個人データに対応付けて前記健康データを前記可搬型記憶媒体に格納する格納手段と、
前記認証手段による前記認証に失敗し、かつ、サーバへのアクセスが許可された場合、前記個人データに対応付けた前記健康データを前記サーバに送信する送信手段と、
を有するデータ計測装置。
【請求項５】
前記送信手段は、無線通信により前記健康データを送信する、
請求項４記載のデータ計測装置。
【請求項６】
前記認証手段は、前記可搬型記憶媒体が自装置に接続されていない場合、所定時間内に当該可搬型記憶媒体が接続されなれければ、前記認証に失敗したものとする、
請求項４または５の何れか一項に記載のデータ計測装置。
【請求項７】
機器認証情報、個人データおよびデータ計測装置によりユーザに対する所定の計測が行われることで取得された健康データを記憶する可搬型記憶媒体が自装置に接続されると、前記可搬型記憶媒体の利用につき少なくとも前記機器認証情報に基づく認証を行う認証手段と、
前記認証手段による前記認証に成功した場合、前記可搬型記憶媒体から前記健康データを取得する取得手段と、
前記認証手段による前記認証に失敗し、かつ、前記個人データに対応付けて前記健康データを記憶するサーバへのアクセスが許可された場合、前記サーバに当該健康データの送信要求を送信し、当該健康データを前記サーバから受信する通信手段と、
前記取得手段または前記通信手段が取得した前記健康データを表示する表示手段と、
を有する表示装置。
【請求項８】
前記通信手段は、無線通信により前記送信要求を送信し、前記健康データを受信する、
請求項７記載の表示装置。
【請求項９】
前記通信手段が前記サーバから受信した前記健康データを、前記個人データに対応付けて前記可搬型記憶媒体に格納する格納手段、
を更に有する請求項７または８の何れか一項に記載の表示装置。
【発明の詳細な説明】
【０００１】
【発明の属する技術分野】
本発明は、健康データを管理する健康管理システム、データ計測装置、表示装置およびサーバに関し、特にセキュリティの守られた個人健康データを入力・確認するための健康管理システム、データ計測装置、表示装置およびサーバに関する。
【０００２】
【従来の技術】
近年、医療情報公開を前提とした電子カルテの導入が注目を浴びており、健康データを個人で管理するシステムが求められつつある。従来の健康管理では、単一の機能を持った体温計、心拍計、および体重計などの専用機による健康データの計測がそれぞれ個別に行われていた。
【０００３】
一方、コンピュータと接続できる機器についても、民生用の身体情報測定機器は、単純な機能において計測／記録するものである。
また、病院などで使用される業務機器は、病院内のネットワークで接続され、専用のコンピュータで管理される。そのため、被測定者個人が自分の身体情報を日常的に持ち歩くことは困難となっている。
【０００４】
【発明が解決しようとする課題】
このような状況の中で、個人が身体情報を持ち歩くためには、測定機器に表示される数値を自分で紙等に記入する必要がある。また、数値的な分析を行うためには、自分でコンピュータへ入力する必要がある。
【０００５】
このように、従来の健康管理方法では、簡易に数値的な分析を行うことは困難だった。また、個人情報といえる身体情報を、簡易に安全にデジタルデータとして日常的に持ち歩くことも困難だった。
【０００６】
本発明の目的は、上記のような点に鑑みてなされたものであり、簡易に数値的な分析を行うことができる健康管理システム、データ計測装置、表示装置およびサーバを提供することを目的とする。
【０００９】
【課題を解決するための手段】
上記課題を解決するために、データ計測装置とサーバと表示装置とを有し、前記データ計測装置は、ユーザに対する所定の計測の開始指示を受け付ける開始受付手段と、前記開始受付手段が前記開始指示を受け付けると、前記計測を行うことで健康データを取得する計測手段と、機器認証情報および個人データを記憶する可搬型記憶媒体の利用につき少なくとも前記可搬型記憶媒体に格納された前記機器認証情報に基づく認証を行う第１の認証手段と、前記第１の認証手段による前記認証に成功した場合、前記個人データに対応付けて前記健康データを前記可搬型記憶媒体に格納する第１の格納手段と、前記第１の認証手段による前記認証に失敗し、かつ、前記サーバへのアクセスが許可された場合、前記個人データに対応付けた前記健康データを前記サーバに送信する送信手段と、を備え、前記サーバは、前記送信手段が送信した前記健康データ、および、要求元の装置が送信した前記個人データに対応する前記健康データの送信要求を受信する受信手段と、前記受信手段が受信した前記健康データを前記個人データに対応付けて記憶装置に格納する第２の格納手段と、前記受信手段が受信した前記送信要求に応じて、前記記憶装置に格納された前記健康データを前記要求元の装置に送信する応答手段と、を備え、前記表示装置は、前記可搬型記憶媒体が自装置に接続されると、前記可搬型記憶媒体の利用につき少なくとも前記機器認証情報に基づく認証を行う第２の認証手段と、前記第２の認証手段による前記認証に成功した場合、前記可搬型記憶媒体から前記健康データを取得する取得手段と、前記第２の認証手段による前記認証に失敗し、かつ、前記サーバへのアクセスが許可された場合、前記送信要求を前記サーバに送信し、前記個人データに対応する前記健康データを前記サーバから受信する通信手段と、前記取得手段または前記通信手段が取得した前記健康データを表示する表示手段と、を備える、健康管理システムが提供される。
また、上記課題を解決するために、データ計測装置がユーザに対する所定の計測を行うことで健康データを取得し、かつ、前記データ計測装置が機器認証情報および個人データを記憶する可搬型記憶媒体の利用につき少なくとも前記可搬型記憶媒体に格納された前記機器認証情報に基づく認証に失敗し、かつ、前記データ計測装置から自装置へのアクセスが許可された場合に前記データ計測装置が前記ユーザの前記個人データに対応付けて送信した前記健康データ、および、表示装置が前記可搬型記憶媒体の利用につき少なくとも前記機器認証情報に基づく認証に失敗し、かつ、前記表示装置から自装置へのアクセスが許可された場合に前記表示装置が送信した前記個人データに対応する前記健康データの送信要求を受信する受信手段と、前記受信手段が受信した前記健康データを前記個人データに対応付けて記憶装置に格納する格納手段と、前記受信手段が受信した前記送信要求に応じて、前記記憶装置に格納された前記健康データを前記表示装置に送信する応答手段と、を有するサーバが提供される。
【００１０】
また、上記課題を解決するために、ユーザに対する所定の計測の開始指示を受け付ける開始受付手段と、前記開始受付手段が前記開始指示を受け付けると、前記計測を行うことで健康データを取得する計測手段と、機器認証情報および個人データを記憶する可搬型記憶媒体の利用につき少なくとも前記可搬型記憶媒体に格納された前記機器認証情報に基づく認証を行う認証手段と、前記認証手段による前記認証に成功した場合、前記ユーザの前記個人データに対応付けて前記健康データを前記可搬型記憶媒体に格納する格納手段と、前記認証手段による前記認証に失敗し、かつ、サーバへのアクセスが許可された場合、前記個人データに対応付けた前記健康データを前記サーバに送信する送信手段と、を有するデータ計測装置が提供される。
また、上記課題を解決するために、機器認証情報、個人データおよびデータ計測装置によりユーザに対する所定の計測が行われることで取得された健康データを記憶する可搬型記憶媒体が自装置に接続されると、前記可搬型記憶媒体の利用につき少なくとも前記機器認証情報に基づく認証を行う認証手段と、前記認証手段による前記認証に成功した場合、前記可搬型記憶媒体から前記健康データを取得する取得手段と、前記認証手段による前記認証に失敗し、かつ、前記個人データに対応付けて前記健康データを記憶するサーバへのアクセスが許可された場合、前記サーバに当該健康データの送信要求を送信し、当該健康データを前記サーバから受信する通信手段と、前記取得手段または前記通信手段が取得した前記健康データを表示する表示手段と、を有する表示装置が提供される。
【００１１】
【発明の実施の形態】
以下、本発明の実施の形態を図面を参照して説明する。
図１は本発明の健康管理システムの原理図である。
【００１２】
健康管理システムは、健康状態を示す計測値を計測・記録する健康データ計測装置１００、健康状態を示す健康データを表示する健康データ表示装置３００、計測値を健康データとして格納する取り外し可能な半導体メモリ２００、健康状態を示す計測値を個人毎の健康データとして遠隔地に格納・管理するサーバ４００、健康データあるいは計測値をファイル形式にして伝送するネットワーク５００から構成される。ここで健康データ計測装置１００は、記憶媒体を挿入・固定するメモリスロット１３０を有している。健康データ表示装置３００は、記憶媒体を挿入・固定するメモリスロット３３０を有している。サーバ４００は、個人毎の健康データを管理するデータベース４０１を有している。
【００１３】
健康データ計測装置１００は、健康状態を示す計測値を計測し、計測値を健康データとして半導体メモリ２００に格納する。また同時に、計測値を画面に表示し、通信により伝送する。健康データ計測装置１００は、例えば体重計、体脂肪計、体温計、心拍計、血圧計、万歩計（登録商標）、スポーツ用具、およびスポーツ記録計測器等であり、その詳細は後述する。
【００１４】
メモリスロット１３０は、半導体メモリ２００が挿入され、格納される。なおメモリスロット１３０は、電源をＯＮしたまま半導体メモリ２００が抜き差しできるように、活線挿抜（Hot Swap）が可能である。
【００１５】
半導体メモリ２００は、持ち運びが可能であり、記憶機能および認証機能を有している。ここで、半導体メモリ２００は、健康データ計測装置１００により、計測値が個人用の健康データとして記録される。また、健康データ表示装置３００により、個人用の健康データが読み込まれて表示される。なお、半導体メモリ２００の記憶機能は、書き込み可能な不揮発性の記憶媒体であり、例えばフラッシュ・メモリ（Flash Memory）である。
【００１６】
健康データ表示装置３００は、健康状態を示す計測値を健康データとして格納した半導体メモリ２００が、メモリスロット３３０に挿入され、挿入された半導体メモリ２００から健康データを読み取る。あるいは、ネットワーク５００を介してサーバ４００より健康データをダウンロードする。そして、健康データを所定の表示形式に加工演算し、加工演算結果である表示データを画面表示する。健康データ表示装置３００は、例えば携帯端末、パソコン、およびテレビ等であり、その詳細は後述する。
【００１７】
メモリスロット３３０は、半導体メモリ２００が挿入され、格納される。なおメモリスロット３３０は、電源をＯＮしたまま半導体メモリ２００が抜き差しできるように、活線挿抜が可能である。
【００１８】
サーバ４００は、健康データ計測装置１００と健康データ表示装置３００とにネットワーク５００を経由して接続される。また、健康データ計測装置１００から計測値を受信し、個人毎の健康データとして管理する。さらに、健康データ表示装置３００からの健康データ送信要求に対し、健康データの送信を行う。
【００１９】
データベース４０１は、サーバ４００により計測値が格納され、計測値を個人毎の健康データとして一元集中管理する。また、サーバ４００の指示により、健康データ表示装置３００より指定された条件から健康データを検索し、サーバ４００に引き渡す。
【００２０】
ネットワーク５００は、通信経路が張りめぐらされた網内にて、所定のプロトコルに基づいて健康データあるいは計測値を伝送する。なおプロトコルとは、例えば、ＨＴＴＰ（Hypertext Transfer Protocol）、ＦＴＰ（File Transfer Protocol）、あるいはＰＰＰ（Point-to-point Protocol）である。またネットワーク５００は、例えばインターネットあるいは公衆網であり、なりすまし、改ざん、および盗聴等されないセキュリティ上安全な通信方式を利用している。
【００２１】
図２は本発明の健康管理システムの全体構成図である。ここでは、健康管理システムの全体構成ならびに半導体メモリ２００、ネットワーク５００を中心とした健康管理システムの流れについて、具体的な例を示し説明する。なお、この図は一例であるため、健康データ表示装置は通信形態が有線と無線とによる２つの例についてのみ図示し、その他の機器を含めた機器構成は後述する。また健康データ計測装置も３つの例についてのみ図示し、その他の機器を含めた機器構成は後述する。
【００２２】
健康管理システムは、ネットワーク５００、半導体メモリ２００を中心に構成されている。まずネットワーク５００を中心にした場合、健康データ計測装置１００である半導体メモリ用のスロット付き体重計１００ａ、スロット付き体温計１００ｃ、およびスロット付きスポーツ記録計測器１００ｈと、健康データ表示装置３００である半導体メモリ用のスロット付き携帯端末３００ａ、スロット付きパソコン３００ｃと、およびサーバ４００とがネットワーク５００、基地局６００によって接続されたネットワーク環境において構成される。次に半導体メモリ２００を中心とした場合、健康データ計測装置１００である半導体メモリ用のスロット付き体重計１００ａ、スロット付き体温計１００ｃ、およびスロット付きスポーツ記録計測器１００ｈと、健康データ表示装置３００である半導体メモリ用のスロット付き携帯端末３００ａ、スロット付きパソコン３００ｃとのうちの何れかに半導体メモリ２００が挿入され、健康データを記録あるいは表示が行われる構成である。
【００２３】
これらの構成において、ネットワーク５００は有線、無線の２通りの通信形態を成しており、半導体メモリ２００は挿入、未挿入の２通りの形態を成している。
【００２４】
そこで健康管理システムの流れは、次のように大別される。
（１）健康データ計測装置１００により、健康状態である計測値を計測する。
（２）計測値を健康データとして、半導体メモリ２００あるいはサーバ４００に格納する。
【００２５】
（３）健康データ表示装置３００により、半導体メモリ２００から読み込み、あるいはサーバ４００からダウンロードした健康データを表示する。
（４）健康データを半導体メモリ２００あるいはサーバ４００へ任意に格納する。
【００２６】
なお、上記（２）、（３）、（４）におけるサーバ４００へのアクセスは、有線、無線の２通りがある。
次に、この流れに沿って説明する。
【００２７】
（１）
ａ）  スロット付き体重計１００ａには、半導体メモリ２００が挿入されているため、半導体メモリ２００に計測値を健康データとして格納・管理できる。一方、サーバ４００にも、ネットワーク５００を介して接続されているため、計測値を送信することができる。したがって、半導体メモリ２００とサーバ４００に健康データが格納・管理されることになる。なお、半導体メモリ２００は個人認証を用いて情報が一元管理されるため、この例では、１枚の半導体メモリ２００に限定している。但し、目的別に分ける等、用途によっては複数枚利用することも可能である。
【００２８】
ｂ）  スロット付きスポーツ記録計測器１００ｈには、半導体メモリ２００が挿入されていない。一方、サーバ４００には、ネットワーク５００を介して接続されているため、計測値を送信することができる。したがって、サーバ４００のみに健康データが格納・管理されることになる。
【００２９】
ｃ）  スロット付き体温計１００ｃには、半導体メモリ２００が挿入されていない。一方、サーバ４００も、接続されていないため、計測値を送信することができない。したがって、健康状態を測るだけとなる。
【００３０】
（２）
ａ）  半導体メモリ２００には、スロット付き体重計１００ａにより計測値を健康データとして格納される。
【００３１】
ｂ）  サーバ４００には、スロット付き体重計１００ａ、スロット付きスポーツ記録計測器１００ｈにより計測値が送信される。またサーバ４００では、受信した計測値を健康データとして格納・管理する。
【００３２】
（３）
ａ）  スロット付き携帯端末３００ａには、半導体メモリ２００が挿入されている。半導体メモリ２００内にある健康データを読み込み、データを表示形式に加工して「健康データ個別表示イメージ」（図示）のように表示される。一方、サーバ４００内に格納・管理されている健康データについても、無線により基地局６００、有線によりネットワーク５００を経由し、サーバ４００に対して健康データの要求を行う。その後、サーバ４００から有線によりネットワーク５００、無線により基地局６００を経由し、伝送された健康データを受信し表示する。なお、「健康データ個別表示イメージ」の詳細については、図８〜図１１に記述する。
【００３３】
ｂ）  スロット付きパソコン３００ｃには、半導体メモリ２００が挿入されていない。一方、サーバ４００には、ネットワーク５００を介して接続されているため、計測値を受信することができる。したがって、スロット付きパソコン３００ｃは、有線によりネットワーク５００を経由し、サーバ４００に対して健康データの要求を行う。その後、サーバ４００から、有線によりネットワーク５００を経由し、伝送された健康データを受信し表示する。
【００３４】
（４）
上記（３）ａ）により半導体メモリ２００から読み込んだ健康データは、サーバ４００へ、無線により基地局６００、有線によりネットワーク５００を経由して伝送され、格納・管理することができる。逆に、サーバ４００よりダウンロードした健康データも、半導体メモリ２００に記録することができる。
【００３５】
なお上記に示したスロット付き携帯端末３００ａやスロット付き体重計１００ａに限らず全ての機器は、携帯電話やＰＨＳ（Personal Handy-phone System）等の周波数帯域を利用して無線通信することも可能である。
【００３６】
次に、上記機器も含めた他の機器構成についても、図面を参照して説明する。
図３は本発明の健康管理システムの機器構成図である。
健康データ計測装置１００に対応する機器は、半導体メモリ用のスロット付き体重計１００ａ、スロット付き体脂肪率計１００ｂ、スロット付き体温計１００ｃ、スロット付き心拍計１００ｄ、スロット付き血圧計１００ｅ、スロット付き万歩計１００ｆ、スロット付きスポーツ用具１００ｇ、スロット付きスポーツ記録計測器１００ｈ、およびスロット付きその他健康機器１００ｉである。また、それらの何れかの機器により計測された計測値は、個人専用のデータとして、機器に挿入された１枚の半導体メモリ２００に記録される。一方、それらの機器により個別に計測された計測値は、有線通信あるいは無線通信で接続したネットワーク５００を経由して、全てサーバ４００へ格納され、蓄積されて各個人毎に管理される。ここで、図示する実線は半導体メモリ２００が挿入されていることを示し、図示する点線は半導体メモリ２００が挿入されていなことを示している。すなわち、半導体メモリ２００には、これら全ての健康データ計測装置１００のうちの１つだけが接続されていることを示している。
【００３７】
健康データ表示装置３００に対応する機器は、半導体メモリ用のスロット付き携帯端末３００ａ、スロット付きテレビ３００ｂ、スロット付きパソコン３００ｃ、およびスロット付きその他表示装置３００ｄである。また、半導体メモリ２００に記録された健康データは、それらの何れかの機器に１枚の半導体メモリ２００を挿入され、表示される。一方、サーバ４００に格納・蓄積された健康データは、それらの機器にて個別に、有線通信あるいは無線通信で接続したネットワーク５００を経由してダウンロードされ、表示される。ここで、図示する実線は半導体メモリ２００が挿入されていることを示し、図示する点線は半導体メモリ２００が挿入されていなことを示している。すなわち、半導体メモリ２００には、これら全ての健康データ表示装置３００のうちの１つだけが接続されていることを示している。
【００３８】
なお、上記の説明では、１枚の半導体メモリ２００としたが、メモリスロット１３０とメモリスロット３３０の数に対応しており、メモリスロットが複数スロットならば、同時に複数枚の半導体メモリ２００の使用もできる。
【００３９】
図４は本発明の健康データ計測装置のハードウェアブロック図である。
健康データ計測装置１００は、入力装置全体を制御する制御部１０１、計測開始時に手動により切り替えるスイッチ１０２、温度の計測を行う温度計測部１０３、時間を計時するタイマ１０４、入力データを一時格納する入出力１次バッファメモリ１０５、入出力データや演算データを格納するメインメモリ１０６、入出力データを一時格納する入出力２次バッファメモリ１０７、半導体メモリとの読み出し／書き込みを制御する半導体メモリＲＷ（Read/Write）制御部１０８、計測値を表示する液晶表示部１０９、計測値をサーバ４００へ送信する通信制御装置１１０、および計測値を記録する取り外し可能な半導体メモリ２００から構成されている。ここで、制御部１０１は、制御装置１０１ａ、演算装置１０１ｂを有している。温度計測部１０３は、温度の物理量を検出する温度センサ１０３ａ、検出された温度計測値をディジタル変換するＡ／Ｄ（Analog to Digital）変換回路１０３ｂ、および計測値の入力を制御する入出力制御装置１０３ｃを有している。半導体メモリＲＷ制御部１０８は、半導体メモリＲＷ制御装置１０８ａ、半導体メモリ認証ユニット１０８ｂを有している。液晶表示部１０９は、液晶駆動ユニット１０９ａ、表示部１０９ｂを有している。
【００４０】
制御装置１０１ａは、スイッチ１０２により起動した後、図示しない入出力チャネル（Input／Output Channel）に温度計測値取得の指示を出す。その後、入出力１次バッファメモリ１０５を介してメインメモリ１０６に格納された計測値、タイマ１０４より取得した現在日時を基にした演算を、演算装置１０１ｂに指示する。演算装置１０１ｂによって演算・タイムスタンプ付加が終了した新たな計測値は、再びメインメモリ１０６に格納される。格納されると同時に、図示しない入出力チャネルに画面表示の指示を出し、液晶表示部１０９に計測値を表示する。また、図示しない入出力チャネルに半導体メモリ読み出し／書き込みの指示を出す。その後、図示しない入出力チャネルによって、半導体メモリ２００内部に記録されている半導体メモリＩＤと個人データ用パスワードが取得された後、論理的な認証を行う。認証によりアクセス許可となった後、再び図示しない入出力チャネルに書き込みを指示し、入出力２次バッファメモリ１０７を介してメインメモリ１０６に格納された計測値を健康データとして半導体メモリＲＷ制御部１０８へ出力する。さらに、通信制御装置１１０に計測値を出力し、サーバ４００へのデータ送信を行う。ここで、図示しない入出力チャネルは、制御装置１０１ａの負荷を軽減するために、制御装置１０１ａに代わってメインメモリ１０６と温度計測部１０３間、メインメモリ１０６と半導体メモリＲＷ制御部１０８間、およびメインメモリ１０６と液晶表示部１０９間の入出力を制御する。入出力終了後は、制御装置１０１ａに対し入出力割り込みを実行する。なお、健康データ計測装置１００の計測、読み出し、書き込み、あるいは演算に対する時間が大きくなってもコスト面を重視する場合には、点線矢印に示すように入出力チャネルを介さずに、制御装置１０１ａが温度計測部１０３、半導体メモリＲＷ制御部１０８、および液晶表示部１０９の間で入出力を直接行うこともできる。
【００４１】
演算装置１０１ｂは、制御装置１０１ａの指示により、メインメモリ１０６に格納されている計測値や現在日時を基に演算を行い、演算結果である新たな計測値をメインメモリ１０６に戻す。
【００４２】
スイッチ１０２は、手動により切り替えることにより、計測処理を開始あるいは終了する。
温度センサ１０３ａは、温度の物理量を検出し、検出した物理量であるアナログデータをＡ／Ｄ変換回路１０３ｂへ出力する。
【００４３】
Ａ／Ｄ変換回路１０３ｂは、検出されたアナログデータである温度計測値をデジタルデータに変換し、入出力制御装置１０３ｃに出力する。
入出力制御装置１０３ｃは、Ａ／Ｄ変換回路１０３ｂから出力されたデジタルデータの温度測定値を受信し、入出力１次バッファメモリ１０５へ出力する。
【００４４】
タイマ１０４は、現在日時を計時し、制御装置１０１ａに出力する。
入出力１次バッファメモリ１０５は、入出力制御装置１０３ｃより受信した入力データである計測値を一時格納する。
【００４５】
メインメモリ１０６は、入出力１次バッファメモリ１０５に一時格納されている計測値、制御部１０１により演算された新たな計測値、および入出力２次バッファメモリ１０７に一時格納されている健康データを格納する。
【００４６】
入出力２次バッファメモリ１０７は、半導体メモリＲＷ制御部１０８との間で、入出力される計測値である健康データを一時格納する。
半導体メモリＲＷ制御装置１０８ａは、半導体メモリ２００との読み出し／書き込み処理を行う。
【００４７】
半導体メモリ認証ユニット１０８ｂは、半導体メモリ２００内にある機器認証ＩＤ等を受け取り、物理的な認証を行う。また認証により正当な接続許可媒体であることが確認できたら、半導体メモリＲＷ制御装置１０８ａへ接続許可の信号を出力する。
【００４８】
液晶駆動ユニット１０９ａは、図示しない入出力チャネルあるいは制御装置１０１ａの指示により、メインメモリ１０６内あるいは入出力２次バッファメモリ１０７内に格納されている計測値を受け、デジタルデータである計測値をそのまま表示部１０９ｂへ出力する。
【００４９】
表示部１０９ｂは、液晶駆動ユニット１０９ａから受けたデジタルデータである計測値を液晶画面に表示する。
通信制御装置１１０は、制御部１０１より計測値を受信し、ネットワーク５００を経由しサーバ４００へのデータ送信を行う。
【００５０】
半導体メモリ２００は、取り外し可能な記憶媒体であり、半導体メモリＲＷ制御装置１０８ａにより、健康データを記録する。また図の中で、半導体メモリ２００は取り外し可能である。そこで半導体メモリ２００がない場合は、装置は通信制御装置１１０により機能させることもできる。
【００５１】
図５は本発明の健康データ表示装置のハードウェアブロック図である。
健康データ表示装置３００は、健康データ表示装置全体を制御する制御部３０１、健康データを格納するメインメモリ３０２、入力データである健康データを一時格納する入出力バッファメモリ３０３、半導体メモリとの読み出しを制御する半導体メモリＲＷ制御部３０４、健康データ表示を制御する表示制御部３０５、健康データを受信する通信制御装置３０６および健康データを格納する半導体メモリ２００から構成されている。ここで、制御部３０１は、制御装置３０１ａ、演算装置３０１ｂを有している。半導体メモリＲＷ制御部３０４は、半導体メモリＲＷ制御装置３０４ａ、半導体メモリ認証ユニット３０４ｂを有している。表示制御部３０５は、描画制御装置３０５ａ、表示用メモリ３０５ｂ、表示部３０５ｃを有している。
【００５２】
制御装置３０１ａは、図示しない入出力チャネルに半導体メモリ読み出しの指示を出す。その後、図示しない入出力チャネルによって、半導体メモリ２００内部に記録されている半導体メモリＩＤと個人データ用パスワードとが取得され、メインメモリ３０２に格納された後、それを基に論理的な認証を行う。認証によりアクセス許可となった後、再び図示しない入出力チャネルに読み出しの指示を出し、入出力バッファメモリ３０３を介して読み込んだ半導体メモリＲＷ制御部３０４からの健康データをメインメモリ３０２に格納する。あるいは、通信制御装置３０６にて受信したサーバ４００からの健康データをメインメモリ３０２に格納する。一方、図示しない入出力チャネルに画面表示の指示を出し、メインメモリ３０２に格納されている健康データを表示制御部３０５に表示する。ここで、図示しない入出力チャネルは、制御装置３０１ａの負荷を軽減するために、制御装置３０１ａに代わってメインメモリ３０２と半導体メモリＲＷ制御部３０４間、およびメインメモリ３０２と表示制御部３０５間の入出力を制御する。入出力終了後は、制御装置３０１ａに対し入出力割り込みを実行する。なお、健康データ表示装置３００の読み出し、演算に対する時間が大きくなってもコスト面を重視する場合は、点線矢印に示すように入出力チャネルを介さずに、制御装置３０１ａが半導体メモリＲＷ制御部３０４、表示制御部３０５への入出力を直接行うこともできる。
【００５３】
演算装置３０１ｂは、制御装置３０１ａの指示により取得したメインメモリ３０２内の健康データに対し、健康データの単体表示、複数のデータ表示、ならびにグラフ表示や図表表示など、多角的に分析が可能なように演算加工する。また演算加工終了後は、演算結果である表示データをメインメモリ３０２内の健康データとは別のアドレス領域に格納する。
【００５４】
メインメモリ３０２は、入出力バッファメモリ３０３に一時格納されている健康データと、制御部３０１により演算加工された表示データと、および通信制御装置３０６にて受信したサーバ４００からの健康データとを格納する。
【００５５】
入出力バッファメモリ３０３は、半導体メモリＲＷ制御部３０４との間で、入力される入力データである健康データを一時格納する。
半導体メモリＲＷ制御装置３０４ａは、半導体メモリ２００との間で、健康データの読み出し処理を行う。
【００５６】
半導体メモリ認証ユニット３０４ｂは、半導体メモリ２００内にある機器認証ＩＤを受け取り、物理的な認証を行う。また認証により正当な接続許可媒体であることが確認できたら、半導体メモリＲＷ制御装置３０４ａへ接続許可の信号を出力する。
【００５７】
描画制御装置３０５ａは、図示しない入出力チャネルあるいは制御装置３０１ａの指示により、メインメモリ３０２内に格納されている表示データを受け、表示データを表示用メモリ３０５ｂへ格納する。また、図表やグラフなどの描画制御を行う。
【００５８】
表示用メモリ３０５ｂは、メインメモリ３０２から受けた表示データを格納する。
表示部３０５ｃは、表示用メモリ３０５ｂ内にあるディジタル表示情報を液晶画面に表示する。なお、画面が液晶ではなくＣＲＴ（Cathode-ray Tube）の場合は、表示用メモリ３０５ｂ間に図示しないＤ／Ａ（Digital to Analog）変換回路を置く。
【００５９】
通信制御装置３０６は、ネットワーク５００を経由して受信したサーバ４００からの健康データを制御部３０１へ出力する。
半導体メモリ２００は、取り外し可能な記憶媒体であり、半導体メモリＲＷ制御装置３０４ａにより、健康データが読み出しされる。また図の中で、半導体メモリ２００は取り外し可能である。そこで半導体メモリ２００がない場合は、装置は通信制御装置３０６により機能させることもできる。
【００６０】
図６は本発明の半導体メモリの認証原理を示す図であり、（ａ）は健康データ計測装置の認証原理、（ｂ）は健康データ表示装置の認証原理を示す。
図６（ａ）において、半導体メモリ２００はメモリ内部に機器認証ＩＤ２００ａを有し、半導体メモリ認証ユニット１０８ｂは機器認証部１０８ｂ１を有している。ここで、機器認証ＩＤ２００ａと機器認証部１０８ｂ１との間では、電気信号により機器の認証処理が行われ、物理媒体である半導体メモリ２００本体を物理的に認証する。
【００６１】
図６（ｂ）において、半導体メモリ２００はメモリ内部に機器認証ＩＤ２００ａを有し、半導体メモリ認証ユニット３０４ｂは機器認証部３０４ｂ１を有している。ここで、機器認証ＩＤ２００ａと機器認証部３０４ｂ１との間では、電気信号により機器の認証処理が行われ、物理媒体である半導体メモリ２００本体を物理的に認証する。
【００６２】
図７は本発明の半導体メモリ内のデータ構成を示す図である。
半導体メモリ２００内のデータ構成は、階層構造（ツリー構造）をとっている。階層の最上部である第１階層は、階層名を“ＲＯＯＴ”とし、ＲＯＯＴ内には“半導体メモリＩＤ”、第２階層を格納する。第２階層は、“個人データ”、“健康データ”、および“参照データ”から構成される。ここで、個人データは、“パスワード”、“氏名”、“生年月日”、および“その他（追加可能）”を有している。健康データは、“体重”、“体脂肪率”、“身長”、“体温”、および“その他（追加可能）” を有している。参照データは、“食品栄養データ”、“その他（追加可能）” を有している。
【００６３】
なお、半導体メモリＩＤとパスワードにより、論理的にメモリ内部にあるユーザデータを認証する。
図８は本発明の健康データ表示装置の健康データ個別表示例を一覧表で表示した図である。
【００６４】
この図では、健康データ計測装置１００より計測した計測値を日付毎に集計し、日付、体重、および体脂肪率について一覧表で表示している。
図９は本発明の健康データ表示装置の健康データ個別表示例を二重折れ線グラフで表示した図である。
【００６５】
この図では、健康データ計測装置１００より計測した計測値を指定された期間（横軸）で集計し、体重、体脂肪率（縦軸）について折れ線グラフで表示している。
【００６６】
図１０は本発明の健康データ表示装置の健康データ個別表示例を折れ線グラフで表示した図である。
この図では、健康データ計測装置１００により計測した計測値を指定された日の時間別（横軸）に分け、２４時間の心拍数（縦軸）について折れ線グラフで表示している。
【００６７】
図１１は本発明の健康データ表示装置の健康データ個別表示例を折れ線・棒グラフで表示した図である。
この図では、健康データ計測装置１００により計測した計測値を指定された期間（横軸）で集計し、体重、体脂肪率（縦軸）について折れ線グラフや棒グラフで表示している。
【００６８】
次に、処理の流れについて具体的に説明する。
図１２は本発明の健康データ計測装置の動作を説明するフローチャートである。健康データの測定処理（スイッチ１０２をＯＮ）が開始されると、以下の流れに従って処理が行われる。
【００６９】
［Ｓ１０］  健康データ計測装置１００にて、認証処理を行う。なお認証処理の詳細については、図１３、図１４により説明する。
［Ｓ１１］  体重計、心拍計、および温度計等により、計測値を計測する。
【００７０】
［Ｓ１２］  ステップＳ１０にて認証された場合には、ステップＳ１５に進み計測値を格納し、認証されない場合には、ステップＳ１３に進みサーバ４００へアクセスする。なお、この選択は、データ記録を希望しない場合等を考慮し、利用者が選択ボタン等により任意に選択することもできる。
【００７１】
［Ｓ１３］  ネットワーク５００を経由して、サーバ４００へアクセスする。
［Ｓ１４］  ステップＳ１３にてアクセスが許可された場合には、ステップＳ１５に進み計測値を格納し、アクセスが許可されない場合には、ステップＳ１６に進み計測値表示のみを行う。
【００７２】
［Ｓ１５］  計測された計測値をメインメモリ１０６と半導体メモリ２００へ、あるいはメインメモリ１０６とサーバ４００へ格納する。
［Ｓ１６］  メインメモリ１０６に格納された計測値を演算加工し、演算加工結果である新たな計測値を表示部１０９ｂに表示する。
【００７３】
図１３、図１４は認証処理の流れを示すフローチャートである。
［Ｓ１００］  健康データ計測装置１００の活線挿抜可能なメモリスロット１３０に、半導体メモリ２００が挿入されるのを待つ。
【００７４】
［Ｓ１０１］  半導体メモリ２００が挿入された場合には、ステップＳ１０３に進み物理媒体本体の物理的な認証を行い、半導体メモリ２００が挿入されない場合には、ステップＳ１０２に進み待ち時間の確認を行う。
【００７５】
［Ｓ１０２］  半導体メモリ２００の挿入待ち時間が規定時間を超えた場合には、ステップＳ１０９に進み、挿入待ち時間が規定時間を超えない場合には、ステップＳ１００に戻って同様の処理を繰り返す。
【００７６】
［Ｓ１０３］  健康データ計測装置１００と半導体メモリ２００との間で、物理媒体本体の物理的な認証を行う。
［Ｓ１０４］  物理的な認証が許可された場合には、ステップＳ１０５に進み論理的な認証を行い、物理的な認証が許可されない場合には、ステップＳ１０９に進み認証不許可処理を行う。
【００７７】
［Ｓ１０５］  半導体メモリ２００内の第１階層であるＲＯＯＴに格納されている“半導体メモリＩＤ”と、第２階層である個人データに格納されている“パスワード”とにより、健康データの論理的な認証を行う。なお、物理的、論理的に認証を行うことにより、個人健康データに対するセキュリティが二重に強化される。
【００７８】
［Ｓ１０６］  論理的な認証が許可された場合には、ステップＳ１０７に進み半導体メモリ２００内の記憶フィールドの確認を行い、論理的な認証が許可されない場合には、ステップＳ１０９に進み認証不許可処理を行う。
【００７９】
［Ｓ１０７］  半導体メモリ２００内に計測値を記憶するため、記憶対象のフィールド（Field：各階層にデータを記憶する最小単位と定義）に対して、データの格納状況等の確認を行う。
【００８０】
［Ｓ１０８］  データの格納状況等の確認が正常に行われた場合には、ステップＳ１１０に進み認証許可処理を行い、確認が正常に行われない場合には、ステップＳ１０９に進み認証不許可処理を行う。
【００８１】
［Ｓ１０９］  認証処理の各ステップで正常処理できないため、認証不許可として図１２のステップＳ１０へ戻る。
［Ｓ１１０］  認証処理の各ステップで正常処理できたため、認証許可として図１２のステップＳ１０へ戻る。
【００８２】
図１５は本発明の健康データ表示装置の動作を説明するフローチャートである。健康データの表示処理が開始されると、以下の流れに従って処理が行われる。
［Ｓ２０］  健康データ表示装置３００にて、認証処理を行う。なお認証処理の詳細については、既に図１３、図１４により説明している。
【００８３】
［Ｓ２１］  ステップＳ２０にて認証された場合には、ステップＳ２４に進み健康データを読み出し、認証されない場合には、ステップＳ２２に進みサーバ４００へアクセスする。
【００８４】
［Ｓ２２］  ネットワーク５００を経由して、サーバ４００へアクセスする。
［Ｓ２３］  ステップＳ２２にてアクセスが許可された場合には、ステップＳ２４に進み健康データを読み出し、アクセスが許可されない場合には、表示処理を終了する。
【００８５】
［Ｓ２４］  半導体メモリ２００内にある所定の記憶フィールドに記憶されている健康データを読み込む。あるいはサーバ４００にて格納・管理されている健康データをダウンロードする。
【００８６】
［Ｓ２５］  半導体メモリ２００から読み込んだ健康データ、あるいはサーバ４００よりダウンロードした健康データをメインメモリ３０２に格納する。
［Ｓ２６］  メインメモリ３０２に格納されている健康データを基に表示処理を行う。なお表示処理の詳細については、図１６により説明する。
【００８７】
図１６は表示処理の流れを示すフローチャートである。
［Ｓ２００］  一覧表、折れ線グラフ、折れ線・棒グラフ等の各種表示方法の選択・確認を行う。
【００８８】
［Ｓ２０１］  参照データの有無の確認を行う。なお、参照データとは、例えばカロリー計算時に必要な食品栄養表など、あらかじめ与えられるデータベース情報である。
【００８９】
［Ｓ２０２］  ステップＳ２００にて選択された表示方法に対して、参照データが必要である場合には、ステップＳ２０３へ進み参照データの有無の確認を行い、必要でない場合には、ステップＳ２０４へ進み健康データの加工演算を行う。
【００９０】
［Ｓ２０３］  参照データを参照するため、半導体メモリ２００より参照データを読み込む。
［Ｓ２０４］  メインメモリ３０２に格納されている健康データを基に、あるいは参照データも参照して、一覧表、折れ線グラフ、および折れ線・棒グラフ等の各種表示を行うための加工演算を行い、加工演算結果をメインメモリ３０２に表示データとして格納する。
【００９１】
［Ｓ２０５］  画面表示を行うため、健康データ表示装置の特性の確認を行う。特性とは、例えば液晶ディスプレイやＣＲＴの違い等を言う。ここで、液晶ディスプレイの場合は、メインメモリ３０２に格納されているデジタルデータである表示データをそのまま使用する。一方、ＣＲＴの場合は、メインメモリ３０２に格納されているデジタルデータである表示データをアナログデータに変換した後ステップＳ２０６へ進む。
【００９２】
［Ｓ２０６］  メインメモリ３０２に格納されているデジタルデータである表示データ、あるいはステップＳ２０５によりアナログデータに変換された表示データを画面に表示する。
【００９３】
〔発明の実施の形態の効果〕
以上の本発明の実施の形態で示した健康管理システムによれば、次のような効果が得られる。
【００９４】
（１）  健康データの一括管理と携帯、ならびに個人情報の保護
健康データを取り外し可能な半導体メモリ２００で管理することにより、健康データを常に携帯しておくことが可能となる。また半導体メモリ２００の著作権保護機能により、健康データを第三者に見られないよう安全に管理することができるため、健康データという個人情報に関するプライバシーの保護が可能となる。
【００９５】
（２）  スポーツへの応用
スポーツ選手の運動競技記録と健康データを半導体メモリ２００へ記録し、本発明の健康データ表示装置３００で表示／分析することにより、スポーツ選手の体調や健康データと競技記録の相関関係を簡易に分析することが可能となる。これにより、科学的データによる運動能力の向上を一般学生選手等も教授することができるようになり、効率的なスポーツの練習が可能となる。
【００９６】
特に、マラソンや自転車などの長距離競技において、心拍計及び距離計（ＧＰＳ:Global Positioning Systems等）と組み合わせることにより、最適な心拍数による練習を行うことが可能となり、競技記録の向上と安全な練習が可能となる。
【００９７】
（３）  ダイエットへの応用
ダイエット時の摂取食品のカロリーや栄養データと健康データを連動させることにより、無理なく健康的なダイエットが可能となる。摂取食品のカロリーや栄養データは、あらかじめ半導体メモリ２００内へ記録しておくことにより、簡易ＧＵＩ（Graphical User Interface）にて簡単に閲覧・入力できるようになる。
【００９８】
また、フィットネスクラブなどに設置され運動器具と連動させることにより、運動による健康データと自分で入力する摂取食品のデータから、より効果的な運動の示唆、および、より効果的な食品の摂取の示唆が可能となる。
【００９９】
（４）  家族計画への応用
家族計画時に、女性が基礎体温計を健康データ入力に使用することにより、排卵日の確認等が正確に行われ、計画的な家族計画が可能となる。このようなデータは、特にプライバシー問題が重要となるため、本発明のセキュリティによる健康データの保護機能が特に有効となると考えられる。
【０１００】
（５）  老人介護への応用
体温計、体重計、血圧計、および心拍計等から健康データを収集することにより、介護データがより正確になり、介護ヘルパーが自分で健康データを記録する手間から開放される。これにより、介護ヘルパーの介護時間を、純粋に介護を必要とする老人の介護に当てることができるようになるため、介護ヘルパー、介護を必要とする老人の両者の利益につながる。
【０１０１】
また、上記の説明では、体温計などの健康データ計測装置として説明したが、距離計（ＧＰＳ等）、その他の計測機器にも同様に適用することができる。
【０１０２】
【発明の効果】
以上説明したように、本発明の健康管理システムによれば、健康状態を示す計測値を記憶媒体や通信手段を介してシステム内の機器で受け渡すことができるので、計測値を容易に分析することができる。
【図面の簡単な説明】
【図１】本発明の健康管理システムの原理図である。
【図２】本発明の健康管理システムの全体構成を示す図である。
【図３】本発明の健康管理システムの機器構成を示す図である。
【図４】本発明の健康データ計測装置のハードウェアブロック図である。
【図５】本発明の健康データ表示装置のハードウェアブロック図である。
【図６】本発明の半導体メモリの認証原理を示す図である。
【図７】本発明の半導体メモリ内のデータ構成を示す図である。
【図８】本発明の健康データ表示装置の表示例を一覧表で示す図である。
【図９】本発明の健康データ表示装置の表示例を二重折れ線グラフで示す図である。
【図１０】本発明の健康データ表示装置の表示例を折れ線グラフで示す図である。
【図１１】本発明の健康データ表示装置の表示例を折れ線・棒グラフで示す図である。
【図１２】本発明の健康データ計測装置の動作を説明するフローチャートである。
【図１３】認証処理の流れを示すフローチャートである。
【図１４】認証処理の流れを示す図１３に続くフローチャートである。
【図１５】本発明の健康データ表示装置の動作を説明するフローチャートである。
【図１６】表示処理の流れを示すフローチャートである。
【符号の説明】
１００・・・健康データ計測装置、１０１・・・制御部、１０１ａ・・・制御装置、１０１ｂ・・・演算装置、１０２・・・スイッチ、１０３・・・温度計測部、１０３ａ・・・温度センサ、１０３ｂ・・・Ａ／Ｄ変換回路、１０３ｃ・・・入出力制御装置、１０４・・・タイマ、１０５・・・入出力１次バッファメモリ、１０６・・・メインメモリ、１０７・・・入出力２次バッファメモリ、１０８・・・半導体メモリＲＷ制御部、１０８ａ・・・半導体メモリＲＷ制御装置、１０８ｂ・・・半導体メモリ認証ユニット、１０８ｂ１・・・機器認証部、１０９・・・液晶表示部、１０９ａ・・・液晶駆動ユニット、１０９ｂ・・・表示部、１１０・・・通信制御装置、１３０・・・メモリスロット、２００・・・半導体メモリ、２００ａ・・・機器認証ＩＤ、３００・・・健康データ表示装置、３０１・・・制御部、３０１ａ・・・制御装置、３０１ｂ・・・演算装置、３０２・・・メインメモリ、３０３・・・入出力バッファメモリ、３０４・・・半導体メモリＲＷ制御部、３０４ａ・・・半導体メモリＲＷ制御装置、３０４ｂ・・・半導体メモリ認証ユニット、３０４ｂ１・・・機器認証部、３０５・・・表示制御部、３０５ａ・・・描画制御装置、３０５ｂ・・・表示用メモリ、３０５ｃ・・・表示部、３０６・・・通信制御装置、３３０・・・メモリスロット、４００・・・サーバ、４０１・・・データベース、５００・・・ネットワーク、６００・・・基地局
【図１】
0004834943.tif 000002
【図２】
0004834943.tif 000003
【図３】
0004834943.tif 000004
【図４】
0004834943.tif 000005
【図５】
0004834943.tif 000006
【図６】
0004834943.tif 000007
【図７】
0004834943.tif 000008
【図８】
0004834943.tif 000009
【図９】
0004834943.tif 000010
【図１０】
0004834943.tif 000011
【図１１】
0004834943.tif 000012
【図１２】
0004834943.tif 000013
【図１３】
0004834943.tif 000014
【図１４】
0004834943.tif 000015
【図１５】
0004834943.tif 000016
【図１６】
0004834943.tif 000017